(57)【要約】【課題】  注文者から要求された注文品が揃っていることを確認する検品作業を正確且つ効率的に行う。【解決手段】  写真処理システム１０は、外部から入力された注文情報を受け付けると共に、注文情報が受け付けられたフィルム９１又は小型メモリカード９１１毎に識別情報を付与する受付装置１００と、写真９３をプリントして出力すると共に、印画紙の裏面（画像が形成される面と対向する面）に識別情報を印刷する写真出力装置６００と、受付装置１００によって受け付けられた注文情報の内、注文品を規定する情報である注文品情報を識別情報と対応付けて視認可能に表示する注文情報表示装置８００とを備えている。【選択図】      図１
2005331736.tif 000002
【特許請求の範囲】
【請求項１】
画像が撮影されたフィルム又は画像データが格納された記録媒体毎に注文情報を受け付けて、注文情報によって規定される注文品の作成処理を行う写真処理システムであって、
フィルム又は記録媒体毎の注文情報を格納する注文情報記憶手段と、
フィルム又は記録媒体毎の注文情報に対して所定のルールに則って識別情報を付与する識別情報付与手段と、
外部から入力されたフィルム又は記録媒体毎の注文情報を受け付けて、受け付けられた注文情報を前記識別情報付与手段によって付与された識別情報と対応付けて前記注文情報記憶手段に格納する受付手段と、
前記注文情報によって規定される注文品を作成すると共に、作成された注文品に対して前記注文情報に対応する識別情報を視認可能に記録する注文品出力手段と、
前記注文情報の内、前記注文品を規定する情報である注文品情報を前記注文情報記憶手段から読み出して、前記識別情報と対応付けて外部に報知する注文品情報報知手段とを備えることを特徴とする写真処理システム。
【請求項２】
前記注文品情報報知手段は、前記注文品情報を前記識別情報と対応付けて視認可能に表示することによって外部に報知することを特徴とする請求項１に記載の写真処理システム。
【請求項３】
前記注文品情報は、フィルム又は記録媒体に記録された画像の写真へのプリント処理の要否を表すプリント要否情報を含み、
前記注文品出力手段は、前記プリント要否情報がプリント要を表す情報である場合に、１のフィルム又は記録媒体に対応する写真を所定の条件に従ってプリントして出力すると共に、前記識別情報付与手段によって付与された識別情報を各写真に対して視認可能に記録する写真出力手段を備え、
前記注文品情報報知手段は、前記プリント要否情報を前記識別情報と対応付けて報知することを特徴とする請求項１または２に記載の写真処理システム。
【請求項４】
前記注文品情報は、プリントサイズ情報及びプリント枚数情報の少なくとも一方を含むプリント指示情報を含み、
前記写真出力手段は、前記プリント要否情報がプリント要を表す情報である場合に、前記プリント指示情報に応じて、１のフィルム又は記録媒体に対応する写真をプリントして出力し、
前記注文品情報報知手段は、前記プリントサイズ情報及びプリント枚数情報の少なくとも一方を前記識別情報と対応付けて報知することを特徴とする請求項３に記載の写真処理システム。
【請求項５】
前記注文品情報は、１のフィルム又は記録媒体に対応する写真のサムネイル画像をプリントしたインデックスプリントの要否を表すインデックス要否情報を含み、
前記写真出力手段は、前記インデックス要否情報がインデックスプリント要を表す情報である場合に、所定の印画紙にインデックスプリントを作成すると共に、前記識別情報付与手段によって付与された識別情報をインデックスプリントに対して視認可能に記録し、
前記注文品情報報知手段は、前記インデックス要否情報を前記識別情報と対応付けて報知することを特徴とする請求項３または４に記載の写真処理システム。
【請求項６】
前記注文品情報は、注文品として現像されたフィルムが含まれるか否かを表すフィルム要否情報を含み、
前記注文品出力手段は、前記フィルム要否情報がフィルム要を表す情報である場合に、前記識別情報付与手段によって付与された識別情報をフィルムに対して視認可能に記録するフィルムＩＤ記録装置を備え、
前記注文品情報報知手段は、前記フィルム要否情報を前記識別情報と対応付けて報知することを特徴とする請求項１〜５のいずれかに記載の写真処理システム。
【請求項７】
前記注文品情報は、前記画像データの記録媒体への格納の要否を表す画像データ格納要否情報を含み、
前記注文品出力手段は、前記画像データ格納要否情報が画像データ格納要を表す情報である場合に、前記識別情報に対応するフィルム又は記録媒体の画像データを前記記録媒体に格納すると共に、前記識別情報を記録媒体の表面に視認可能に記録する記録媒体処理手段を備え、
前記注文品情報報知手段は、前記画像データ格納要否情報を前記識別情報と対応付けて報知することを特徴とする請求項１〜６のいずれかに記載の写真処理システム。
【請求項８】
前記記録媒体は、ディスク状の記録媒体であって、
前記記録媒体処理手段は、前記画像データ格納要否情報が画像データ格納要を表す情報である場合に、前記識別情報を前記ディスク状の記録媒体のレーベル面に印刷することを特徴とする請求項７に記載の写真処理システム。
【請求項９】
前記注文品情報は、前記ディスク状の記録媒体のレーベル面への写真のサムネイル画像の印刷するレーベル印刷の要否を表す情報であるレーベル印刷要否情報を含み、
前記記録媒体処理手段は、前記レーベル印刷要否情報がレーベル印刷要を表す情報である場合に、写真のサムネイル画像及び前記識別情報をレーベル面に印刷し、
前記注文品情報報知手段は、前記レーベル印刷要否情報を前記識別情報と対応付けて報知することを特徴とする請求項８に記載の写真処理システム。
【発明の詳細な説明】
【技術分野】
【０００１】
本発明は、画像が撮影されたフィルム又は画像データが格納された記録媒体毎に注文情報を受け付けて、注文情報によって規定される注文品の作成処理を行う写真処理システムに関する。
【背景技術】
【０００２】
従来、写真館やＤＰ店などでフィルムから写真のプリント処理を行う場合には、注文者から指示されたプリント指示情報を含む注文情報をＤＰ袋と呼ばれる袋に記入して、このＤＰ袋とフィルムとを対応付けるために、ツインチェックと呼ばれる４桁の数字が印刷されたラベルをＤＰ袋とフィルムとに貼り付けていた。
【０００３】
そして、フィルムに対しては、現像、フィルムスキャナによる画像データの読み取り、ネガシートの作成等の処理が施され、フィルムスキャナにより読み取られた画像データが写真処理装置に入力されて印画紙にプリント処理が施されて写真が作成される。
【０００４】
プリント処理が完了すると、写真に形成された画像と、ネガシートとなったフィルムの画像とが作業者の目視によって照合され、プリントされた写真とフィルムとが照合される。そして、更に、フィルムに貼付されたツインチェックラベルと、ＤＰ袋に貼付されたツインチェックラベルとが作業者の目視によって照合され、フィルムとＤＰ袋とが照合される。照合されたフィルムと写真とがＤＰ袋に収納されて、注文者に手渡し可能な状態（仕上がり状態）となる。
【発明の開示】
【発明が解決しようとする課題】
【０００５】
上記の方法によれば、ＤＰ袋、フィルム及びプリントされた写真を作業者が目視によって照合する必要があるため、多数のプリント注文を間違いなく、短時間に処理することは困難であり、また、作業者の負担が大きかった。
【０００６】
一方、近年、ＣＤドライブを備えたパーソナルコンピュータの一般家庭への普及に伴い、フィルムスキャナによって読み取られた画像データをＣＤに格納して提供するサービスが行われるようになってきている。このサービスを行う場合には、従来のＤＰ袋、フィルム及びプリントされた写真に加えて、画像データが格納されたＣＤを照合する必要があり、更に作業者の負担が大きくなる。
【０００７】
また、近年ディジタルカメラの普及に伴い、スマートメディア等の小型メモリカードからなる記録媒体に格納された画像データからのプリント処理、サイムネイル画像がプリントされたインデックスプリントの作成処理、画像データのＣＤへの格納処理等の種々のサービスが行われるようになってきている。
【０００８】
このようなサービスの多様化に伴って、注文者から要求された注文品の種類及び注文品の組合せが大幅に増加しているため、写真館やＤＰ店等での、注文品が揃っているか否かをチェックする検品作業の負担が高まっている。
【０００９】
本発明は、上記課題に鑑みてなされたもので、注文者から要求された注文品が揃っていることを確認する検品作業を正確且つ効率的に行うことを可能とする写真処理システムを提供することを目的とするものである。
【課題を解決するための手段】
【００１０】
請求項１に記載の写真処理システムは、画像が撮影されたフィルム又は画像データが格納された記録媒体毎に注文情報を受け付けて、注文情報によって規定される注文品の作成処理を行う写真処理システムであって、フィルム又は記録媒体毎の注文情報を格納する注文情報記憶手段と、フィルム又は記録媒体毎の注文情報に対して所定のルールに則って識別情報を付与する識別情報付与手段と、外部から入力されたフィルム又は記録媒体毎の注文情報を受け付けて、受け付けられた注文情報を前記識別情報付与手段によって付与された識別情報と対応付けて前記注文情報記憶手段に格納する受付手段と、前記注文情報によって規定される注文品を作成すると共に、作成された注文品に対して前記注文情報に対応する識別情報を視認可能に記録する注文品出力手段と、前記注文情報の内、前記注文品を規定する情報である注文品情報を前記注文情報記憶手段から読み出して、前記識別情報と対応付けて外部に報知する注文品情報報知手段とを備えることを特徴としている。
【００１１】
上記の構成によれば、識別情報付与手段によって、フィルム又は記録媒体毎の注文情報に対して所定のルールに則って識別情報が付与され、受付手段によって、外部から入力されたフィルム又は記録媒体毎の注文情報が受け付けられて、受け付けられた注文情報が識別情報付与手段によって付与された識別情報と対応付けられて注文情報記憶手段に格納される。そして、注文品出力手段によって、注文情報により規定される注文品が作成されると共に、作成された注文品に対して注文情報に対応する識別情報が視認可能に記録される。更に、注文品情報報知手段によって、注文情報の内、注文品を規定する情報である注文品情報が注文情報記憶手段から読み出されて、識別情報と対応付けられて外部に報知される。
【００１２】
そこで、作成された注文品に対して注文情報に対応する識別情報が視認可能に記録されると共に、注文品を規定する情報である注文品情報が注文情報記憶手段から読み出されて、識別情報と対応付けられて外部に報知されるため、報知された識別情報毎に、それぞれ対応する注文品情報を確認（照合）しながら、作成された注文品を検品することが可能となる。
【００１３】
従って、報知された識別情報毎に、それぞれ対応する注文品情報を確認しながら、作成された注文品を検品することが可能となるため、検品作業を正確且つ効率的に行うことが可能となる。
【００１４】
例えば、識別番号毎の注文品の種類及び数量（仕様）を注文品情報によって確認することができるため、検品作業において、注文品の欠落が確実に防止され、更に、注文品の仕様のチェックも可能となる。具体的には、注文品情報として、プリントされた写真のサイズ及び枚数が報知されている場合には、例えば、注文品情報と異なるサイズでプリントされている、枚数が不足している等の不具合を検品作業において発見することが可能となる。
【００１５】
請求項２に記載の写真処理システムは、前記注文品情報報知手段が、前記注文品情報を前記識別情報と対応付けて視認可能に表示することを特徴としている。
【００１６】
上記の構成によれば、注文品情報報知手段によって、注文品情報が識別情報と対応付けて視認可能に表示されることにより外部に報知される。従って、目視によって、識別情報に対応する注文品情報が確認可能となるため、検品作業を正確且つ効率的に行うことが可能となる。
【００１７】
請求項３に記載の写真処理システムは、前記注文品情報が、フィルム又は記録媒体に記録された画像の写真へのプリント処理の要否を表すプリント要否情報を含み、前記注文品出力手段が、前記プリント要否情報がプリント要を表す情報である場合に、１のフィルム又は記録媒体に対応する写真を所定の条件に従ってプリントして出力すると共に、前記識別情報付与手段によって付与された識別情報を各写真に対して視認可能に記録する写真出力手段を備え、前記注文品情報報知手段が、前記プリント要否情報を前記識別情報と対応付けて報知することを特徴としている。
【００１８】
上記の構成によれば、注文品情報に、フィルム又は記録媒体に記録された画像の写真へのプリント処理の要否を表すプリント要否情報が含まれており、注文品情報報知手段によって、プリント要否情報が識別情報と対応付けて報知される。そして、写真出力手段によって、プリント要否情報がプリント要を表す情報である場合に、１のフィルム又は記録媒体に対応する写真が所定の条件に従ってプリントされて出力されると共に、識別情報付与手段によって付与された識別情報が各写真に対して視認可能に記録される。
【００１９】
従って、識別情報が各写真に対して視認可能に記録され、且つ、プリント要否情報が識別情報と対応付けて報知されるため、プリントされた写真の検品作業を正確且つ効率的に行うことが可能となる。
【００２０】
請求項４に記載の写真処理システムは、前記注文品情報が、プリントサイズ情報及びプリント枚数情報の少なくとも一方を含むプリント指示情報を含み、前記写真出力手段が、前記プリント要否情報がプリント要を表す情報である場合に、前記プリント指示情報に応じて、１のフィルムに対応する写真をプリントして出力し、前記注文品情報報知手段が、前記プリントサイズ情報及びプリント枚数情報の少なくとも一方を前記識別情報と対応付けて報知することを特徴としている。
【００２１】
上記の構成によれば、注文品情報が、プリントサイズ情報及びプリント枚数情報の少なくとも一方を含むプリント指示情報を含み、注文品情報報知手段によって、プリントサイズ情報及びプリント枚数情報の少なくとも一方が識別情報と対応付けて報知される。そして、写真出力手段によって、プリント要否情報がプリント要を表す情報である場合に、プリント指示情報に応じて、１のフィルム又は記録媒体に対応する写真がプリントされて出力される。
【００２２】
従って、プリント指示情報に応じて、１のフィルム又は記録媒体に対応する写真がプリントされて出力され、且つ、プリントサイズ情報及びプリント枚数情報の少なくとも一方が識別情報と対応付けて報知されるため、プリントされた写真の検品作業を、プリントサイズ情報及びプリント枚数情報の少なくとも一方を用いて、更に、正確且つ効率的に行うことが可能となる。
【００２３】
請求項５に記載の写真処理システムは、前記注文品情報が、１のフィルム又は記録媒体に対応する写真のサムネイル画像をプリントしたインデックスプリントの要否を表すインデックス要否情報を含み、前記写真出力手段が、前記インデックス要否情報がインデックスプリント要を表す情報である場合に、所定の印画紙にインデックスプリントを作成すると共に、前記識別情報付与手段によって付与された識別情報をインデックスプリントに対して視認可能に記録し、前記注文品情報報知手段が、前記インデックス要否情報を前記識別情報と対応付けて報知することを特徴としている。
【００２４】
上記の構成によれば、注文品情報に、１のフィルム又は記録媒体に対応する写真のサムネイル画像をプリントしたインデックスプリントの要否を表すインデックス要否情報が含まれており、注文品情報報知手段によって、インデックス要否情報が識別情報と対応付けて報知される。そして、写真出力手段によって、インデックス要否情報がインデックスプリント要を表す情報である場合に、所定の印画紙にインデックスプリントが作成されると共に、識別情報付与手段によって付与された識別情報がインデックスプリントに対して視認可能に記録される。
【００２５】
従って、識別情報がインデックスプリントに対して視認可能に記録されて、且つ、インデックス要否情報が識別情報と対応付けて報知されるため、インデックスプリントの検品作業を、正確且つ効率的に行うことが可能となる。
【００２６】
請求項６に記載の写真処理システムは、前記注文品情報が、注文品として現像されたフィルムが含まれるか否かを表すフィルム要否情報を含み、前記注文品出力手段が、前記フィルム要否情報がフィルム要を表す情報である場合に、前記識別情報付与手段によって付与された識別情報をフィルムに対して視認可能に記録するフィルムＩＤ記録装置を備え、前記注文品情報報知手段が、前記フィルム要否情報を前記識別情報と対応付けて報知することを特徴としている。
【００２７】
上記の構成によれば、注文品情報に、注文品として現像されたフィルムが含まれるか否かを表すフィルム要否情報が含まれており、注文品情報報知手段によって、フィルム要否情報が識別情報と対応付けて報知される。そして、フィルム要否情報がフィルム要を表す情報である場合に、フィルムＩＤ記録装置によって、識別情報付与手段により付与された識別情報がフィルムに対して視認可能に記録される。
【００２８】
従って、識別情報がフィルムに対して視認可能に記録されて、且つ、フィルム要否情報が識別情報と対応付けて報知されるため、フィルムの検品作業を、正確且つ効率的に行うことが可能となる。
【００２９】
請求項７に記載の写真処理システムは、前記注文品情報が、前記画像データの記録媒体への格納の要否を表す画像データ格納要否情報を含み、前記注文品出力手段が、前記画像データ格納要否情報が画像データ格納要を表す情報である場合に、前記識別情報に対応するフィルム又は記録媒体の画像データを前記記録媒体に格納すると共に、前記識別情報を記録媒体の表面に視認可能に記録する記録媒体処理手段を備え、前記注文品情報報知手段が、前記画像データ格納要否情報を前記識別情報と対応付けて報知することを特徴としている。
【００３０】
上記の構成によれば、注文品情報に、画像データの記録媒体への格納の要否を表す画像データ格納要否情報が含まれており、注文品情報報知手段によって、画像データ格納要否情報が識別情報と対応付けて報知される。そして、画像データ格納要否情報が画像データ格納要を表す情報である場合に、記録媒体処理手段によって、識別情報に対応するフィルム又は記録媒体の画像データが記録媒体に格納されると共に、識別情報が記録媒体の表面に視認可能に記録される。
【００３１】
従って、識別情報が画像データが格納される記録媒体の表面に視認可能に記録されて、且つ、データ格納要否情報が識別情報と対応付けて報知されるため、記録媒体の検品作業を、正確且つ効率的に行うことが可能となる。
【００３２】
請求項８に記載の写真処理システムは、前記記録媒体が、ディスク状の記録媒体であって、前記記録媒体処理手段が、前記画像データ格納要否情報が画像データ格納要を表す情報である場合に、前記識別情報を前記ディスク状の記録媒体のレーベル面に印刷することを特徴としている。
【００３３】
上記の構成によれば、記録媒体が、ディスク状の記録媒体であって、画像データ格納要否情報が画像データ格納要を表す情報である場合に、記録媒体処理手段によって、識別情報がディスク状の記録媒体のレーベル面に印刷される。
【００３４】
従って、識別情報がディスク状の記録媒体のレーベル面に印刷されるため、識別情報が更に見易くなり、記録媒体の検品作業を、更に、正確且つ効率的に行うことが可能となる。
【００３５】
請求項９に記載の写真処理システムは、前記注文品情報が、前記ディスク状の記録媒体のレーベル面への写真のサムネイル画像の印刷するレーベル印刷の要否を表す情報であるレーベル印刷要否情報を含み、前記記録媒体処理手段が、前記レーベル印刷要否情報がレーベル印刷要を表す情報である場合に、写真のサムネイル画像及び前記識別情報をレーベル面に印刷し、前記注文品情報報知手段が、前記レーベル印刷要否情報を前記識別情報と対応付けて報知することを特徴としている。
【００３６】
上記の構成によれば、注文品情報が、ディスク状の記録媒体のレーベル面への写真のサムネイル画像の印刷するレーベル印刷の要否を表す情報であるレーベル印刷要否情報が含まれており、注文品情報報知手段によって、レーベル印刷要否情報が識別情報と対応付けて報知される。そして、記録媒体処理手段によって、レーベル印刷要否情報がレーベル印刷要を表す情報である場合に、写真のサムネイル画像及び識別情報がレーベル面に印刷される。
【００３７】
従って、写真のサムネイル画像及び識別情報がレーベル面に印刷され、且つ、レーベル印刷要否情報が識別情報と対応付けて報知されるため、記録媒体のレーベル印刷に関する検品作業を、正確且つ効率的に行うことが可能となる。
【発明の効果】
【００３８】
請求項１に記載の発明によれば、報知された識別情報毎に、それぞれ対応する注文品情報を確認しながら、作成された注文品を検品することが可能となるため、検品作業を正確且つ効率的に行うことができる。
【００３９】
請求項２に記載の発明によれば、目視によって、識別情報に対応する注文品情報が確認可能となるため、検品作業を正確且つ効率的に行うことが可能となる。
【００４０】
請求項３に記載の発明によれば、識別情報が各写真に対して視認可能に記録され、且つ、プリント要否情報が識別情報と対応付けて報知されるため、プリントされた写真の検品作業を正確且つ効率的に行うことができる。
【００４１】
請求項４に記載の発明によれば、プリント指示情報に応じて、１のフィルム又は記録媒体に対応する写真がプリントされて出力され、且つ、プリントサイズ情報及びプリント枚数情報の少なくとも一方が識別情報と対応付けて報知されるため、プリントされた写真の検品作業を、プリントサイズ情報及びプリント枚数情報の少なくとも一方を用いて、更に、正確且つ効率的に行うことができる。
【００４２】
請求項５に記載の発明によれば、識別情報がインデックスプリントに対して視認可能に記録されて、且つ、インデックス要否情報が識別情報と対応付けて報知されるため、インデックスプリントの検品作業を、正確且つ効率的に行うことができる。
【００４３】
請求項６に記載の発明によれば、識別情報がフィルムに対して視認可能に記録されて、且つ、フィルム要否情報が識別情報と対応付けて報知されるため、フィルムの検品作業を、正確且つ効率的に行うことができる。
【００４４】
請求項７に記載の発明によれば、識別情報が画像データが格納される記録媒体の表面に視認可能に記録されて、且つ、データ格納要否情報が識別情報と対応付けて報知されるため、記録媒体の検品作業を、正確且つ効率的に行うことができる。
【００４５】
請求項８に記載の発明によれば、識別情報がディスク状の記録媒体のレーベル面に印刷されるため、識別情報が更に見易くなり、記録媒体の検品作業を、更に、正確且つ効率的に行うことができる。
【００４６】
請求項９に記載の発明によれば、写真のサムネイル画像及び識別情報がレーベル面に印刷され、且つ、レーベル印刷要否情報が識別情報と対応付けて報知されるため、記録媒体のレーベル印刷に関する検品作業を、正確且つ効率的に行うことができる。
【発明を実施するための最良の形態】
【００４７】
以下、図１〜図１３を用いて本発明の一実施形態について説明する。図１は、本発明が適用される写真処理システムの概略構成図の一例である。写真処理システム１０は、外部から入力された注文情報を受け付けると共に、注文情報が受け付けられたフィルム９１、または、ディジタルカメラで使用される画像データが格納されたスマートメディア等の小型メモリカード９１１毎に識別情報を付与する受付装置１００（受付手段及び識別情報付与手段に相当する）と、受付装置１００によって付与された識別情報をフィルム９１に対して視認可能に記録するフィルムＩＤ記録装置２００（注文品出力手段及びフィルムＩＤ記録手段に相当する）と、フィルム９１に現像処理を施すフィルム現像機３００と、現像処理によってフィルム９１に可視化された画像を光学的に読み取りコマ毎にディジタルデータ（画像データ）を作成するフィルムスキャナ４００と、フィルム９１を所定コマ数毎に切断してネガシート９２を作成するフィルム処理装置５００と、写真９３をプリントして出力する写真出力装置６００（注文品出力手段及び写真出力手段に相当する）と、ＣＤ−Ｒ（ＣＤ  ｒｅｃｏｒｄａｂｌｅ）又はＣＤ−ＲＷ（ＣＤ  ｒｅｗｒｉｔａｂｌｅ）（ここでは、これらを総称してＣＤ９４という）に画像データを書き込むＣＤ処理装置７００（注文品出力手段及び記録媒体処理手段に相当する）と、受付装置１００によって受け付けられた注文情報を視認可能に表示する注文情報表示装置８００（注文品情報報知手段に相当する）とを備えている。
【００４８】
受付装置１００は、外部から入力された注文情報を受け付けると共に、注文情報が受け付けられたフィルム９１、または、小型メモリカード９１１毎に所定のルールに則って識別情報を生成して付与するものである。また、受付装置１００は、注文情報を識別情報に対応付けて格納すると共に、フィルムＩＤ記録装置２００、写真出力装置６００等に対して種々の情報を送信するものである。更に、受付装置１００は、注文者に預り証９５として付与するべく所定の用紙に識別情報を印刷するものである。加えて、受付装置１００は、小型メモリカード９１１を受け付けた場合には、小型メモリカード９１１に格納された画像データを読み出して後述する画像データ記憶部１８ａに格納するものである。なお、受付装置１００の構成及び機能の詳細については、図２〜図４を用いて後述する。
【００４９】
フィルムＩＤ記録装置２００は、受付装置１００によって付与された識別情報をフィルムに対して視認可能に記録するものであって、ここでは、フィルム現像機３００によって現像される前のフィルム９１に対して、フィルム９１表面の乳剤を機械的に取り除くことによって、識別情報を記録するものである。なお、フィルムＩＤ記録装置２００の構成の詳細については、図５を用いて後述する。
【００５０】
フィルム現像機３００は、フィルム９１を処理液の充填された処理タンク内を通過させてフィルム９１に現像処理を施すものであって、コマ毎の画像を可視化すると共に、フィルムＩＤ記録装置２００によって記録された識別情報を可視化するものである。
【００５１】
フィルムスキャナ４００は、フィルム現像機３００によって現像されたフィルム９１に光を当てて、透過光をＣＣＤ（ｃｈａｒｇｅ  ｃｏｕｐｌｅｄ  ｄｅｖｉｃｅ）などの撮像素子で受光することによってフィルム９１のコマ毎の画像データを得るものである。なお、フィルムスキャナ４００によって得られた画像データは、フィルム９１毎に識別情報と対応付けられて写真出力装置６００及びＣＤ処理装置７００に伝送される。
【００５２】
フィルム処理装置５００は、現像済みのフィルム９１を所定のコマ数（ここでは、６コマ）に切断した後、袋状のフィルム収納部を多数並設してなる帯状のフィルムシートに収納して、ネガシート９２を作成するものである。
【００５３】
写真出力装置６００は、受付装置１００から識別情報及び注文情報を受信し、フィルムスキャナ４００から識別情報及び画像データを受信して、注文情報に応じて画像データを用いて写真９３を印画紙にプリントして出力するものである。ただし、受付装置１００が小型メモリカード９１１を受け付けた場合には、写真出力装置６００は、受付装置１００から画像データを受信するものである。また、写真出力装置６００は、印画紙の裏面（画像が形成される面と対向する面）に、識別情報を印刷するものである。なお、写真出力装置６００の構成の詳細については、図６を用いて後述する。
【００５４】
ＣＤ処理装置７００は、フィルムスキャナ４００によって得られた画像データ（または、受付装置１００によって受け付けられた画像データ）をＣＤ９４に書き込むと共に、ＣＤ９４のレーベル面（記録面と対向する面）に識別情報を印刷するものである。なお、ＣＤ処理装置７００の構成及び動作の詳細については、図７〜９を用いて後述する。
【００５５】
注文情報表示装置８００は、外部から入力された識別情報を受け付けて、受け付けた識別情報に対応する注文情報を視認可能に表示すると共に、注文情報を用いて課金金額を算出して、求められた課金金額情報を視認可能に表示するものである。また、注文情報表示装置８００は、注文情報の内、注文品を規定する情報である注文品情報を受付装置１００から読み出して、識別情報と対応付けて視認可能に表示するものである。なお、注文情報表示装置８００の構成及び動作の詳細については、図１０〜１３を用いて後述する。
【００５６】
図２は、受付装置１００のハード構成図の一例である。受付装置１００は、例えば、パーソナルコンピュータ等からなり、受付装置１００の全体の動作を制御する制御部１１と、外部からの操作を受け付ける図略のキーボード、マウス等からなる操作部１２と、外部に音声を出力するスピーカ１３と、外部に画像を出力するモニタ１４と、フィルムＩＤ記録装置２００、写真出力装置６００、ＣＤ処理装置７００及び注文情報表示装置８００と通信を行う通信制御部１５と、種々の情報を記録用紙に印刷する（特に、注文者に付与する預り証９５として識別情報を所定の用紙に印刷する）プリンタ１６と、小型メモリカード９１１に格納された画像データを読み込むカードリーダ１７と、カードリーダ１７から読み込まれた画像データ等の種々のデータを格納するＨＤＤ１８とがデータ伝送路であるバスＢＡ１を介して接続されている。
【００５７】
制御部１１は、受付装置１００の全体の動作を制御するもので、情報処理部（ＣＰＵ）１１１と、処理途中の情報等を一時的に格納するＲＡＭ１１２と、ＯＳ（ｏｐｅｒａｔｉｎｇ  ｓｙｓｔｅｍ）、所定の画像情報等が予め記憶されたＲＯＭ１１３とを備えている。ＲＡＭ１１２またはＲＯＭ１１３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００５８】
インターフェイス部１２１は、操作部１２との間のデータの授受を行うためのものである。音声再生部１３１は、制御部１１からの指示に従って所定の音声（例えば、アラーム、操作ガイダンス用の音声等）等をスピーカ１３に出力するものである。描画処理部１４１は、制御部１１からの画像表示指示に従って所要の画像をモニタ１４に表示させるもので、ビデオＲＡＭ等を備えている。
【００５９】
図３は、受付装置１００の機能構成図の一例である。ＣＰＵ１１１は、注文情報を受け付ける注文情報受付部１１１ａ（受付手段の一部に相当する）と、注文情報が受け付けられたフィルム毎に識別情報を付与する識別情報付与部１１１ｂ（識別情報付与手段に相当する）と、注文情報等を写真出力装置６００等に送信するデータ送信部１１１ｃと、注文者に付与する預り証９５として識別情報を印刷する指示を出力する印刷指示部１１１ｄ（受付手段の一部に相当する）とを備えている。ＲＡＭ１１２は、注文情報等を格納する注文情報記憶部１１２ａ（注文情報記憶手段に相当する）を備えている。また、ＨＤＤ１８は、カードリーダ１７から読み込まれた画像データ等のデータを格納する画像データ記憶部１８ａを備えている。
【００６０】
注文情報受付部１１１ａは、操作部１２を介して外部からの入力を受け付けて、例えば、注文者の氏名、住所、電話番号、電子メールアドレス等の情報（以下、注文者情報という）と、写真９３へのプリント処理の要否を表すプリント要否情報、プリントサイズ情報、及びプリント枚数情報（以下、プリント情報という）と、写真のサムネイル画像をプリントしたインデックスプリントの要否を表すインデックス要否情報と、ＣＤ９４への画像データの格納の要否を表すＣＤ要否情報と、ＣＤ９４に画像データを格納する場合にＣＤ９４のレーベル面に写真のサムネイル画像を印刷するレーベル面印刷の要否を表すレーベル印刷要否情報とを含む注文情報を受け付けるものである。ただし、注文者情報は、上記の例に限らず、注文者が識別（特定）できるものであれば足りるため、例えば、氏名のみである形態でもよい。また、注文情報受付部１１１ａは、カードリーダ１７を介して小型メモリカード９１１に格納された画像データを読み込み、画像データ記憶部１８ａに識別情報と対応付けて格納するものである。
【００６１】
識別情報付与部１１１ｂは、注文情報受付部１１１ａによって注文情報が受け付けられたフィルム９１又は小型メモリカード９１１毎に、所定のルールに則って識別情報を生成して付与すると共に、注文情報を識別情報に対応付けて受付情報記憶部１１２ａに格納するものである。ここでは、識別情報は４桁の整数であって、識別情報付与部１１１ｂは、カウンタを内蔵しており、注文情報が受け付けられた順にカウントアップすることで、フィルム９１又は小型メモリカード９１１毎に４桁の一連番号である識別情報を付与するものである。例えば、識別情報として、「１２３４」が付与されたフィルム９１（又は小型メモリカード９１１）の直後に受け付けられたフィルム９１（又は小型メモリカード９１１）には、識別情報として「１２３５」が付与される。
【００６２】
データ送信部１１１ｃは、通信制御部１５を介して、フィルムＩＤ記録装置２００に対して、識別情報付与部１１１ｂによってフィルム９１に付与された識別情報を送信するものである。また、データ送信部１１１ｃは、通信制御部１５を介して、写真出力装置６００、ＣＤ処理装置７００及び注文情報表示装置８００に対して、注文情報受付部１１１ａによって受け付けられた注文情報を識別情報付与部１１１ｂによってフィルム９１に付与された識別情報と対応付けて送信するものである。注文情報受付部１１１ａが小型メモリカード９１１を受け付けた場合には、データ送信部１１１ｃは、通信制御部１５を介して、写真出力装置６００、ＣＤ処理装置７００及び注文情報表示装置８００に対して、注文情報受付部１１１ａによって受け付けられた注文情報及び画像データを識別情報付与部１１１ｂによって小型メモリカード９１１に付与された識別情報と対応付けて送信するものである。
【００６３】
印刷指示部１１１ｄは、注文者に付与する預り証９５として、識別情報付与部１１１ｂによってフィルム９１又は小型メモリカード９１１に付与された識別情報を印刷する旨の指示情報をプリンタ１６に対して出力するものである。なお、預り証９５は、プリント注文時に注文者に付与され、プリント処理等が完了して注文者が写真９３等を受け取る際に、注文情報の確認のために使用されるものである。
【００６４】
受付情報記憶部１１２ａは、注文情報受付部１１１ａによって受け付けられた注文情報を、識別情報付与部１１１ｂによって付与された識別情報に対応付けて格納するものである。画像データ記憶部１８ａは、注文情報受付部１１１ａによって受け付けられた画像データを、識別情報付与部１１１ｂによって付与された識別情報に対応付けて格納するものである。
【００６５】
なお、受付装置１００を、注文情報受付部１１１ａ、識別情報付与部１１１ｂ、データ送信部１１１ｃ及び印刷指示部１１１ｄとして機能させるプログラムは、例えばＲＯＭ２１３に格納されており、ＣＰＵ２１１によって実行されることにより、受付装置１００が注文情報受付部１１１ａ等の各機能部として機能するものである。
【００６６】
図４は、受付装置１００の動作を表すフローチャートの一例である。なお、ここでは、便宜上、フィルム９１から注文情報を受け付ける場合について説明する。まず、注文情報受付部１１１ａによって、注文者情報が受け付けられる（ステップＳ１０１）。次いで、注文情報受付部１１１ａによって、フィルム９１の写真９３へのプリントサイズ、及びプリント枚数（プリント情報）が受け付けられる（ステップＳ１０３）。つぎに、注文情報受付部１１１ａによって、フィルム９１の写真のインデックスプリントの要否が受け付けられる（ステップＳ１０５）。そして、注文情報受付部１１１ａによって、ＣＤ９４への画像データの格納の要否が受け付けられる（ステップＳ１０７）。また、注文情報受付部１１１ａによって、レーベル面印刷の要否が受け付けられる（ステップＳ１０９）。
【００６７】
つぎに、識別情報付与部１１１ｂによって、ステップＳ１０１〜１０９において注文情報が受け付けられたフィルム９１に対して、識別情報が付与される（ステップＳ１１１）。そして、識別情報付与部１１１ｂによって、ステップＳ１０１〜１０９において受け付けられた注文情報がステップＳ１１１において付与された識別情報に対応付けられて受付情報記憶部１１２ａに格納される（ステップＳ１１３）。次いで、データ送信部１１１ｃによって、ステップＳ１１１において付与された識別情報、及び、ステップＳ１０１〜１０９において受け付けられた注文情報がフィルムＩＤ記録装置２００、写真出力装置６００、ＣＤ処理装置７００及び注文情報表示装置８００に対して送信される（ステップＳ１１５）。そして、印刷指示部１１１ｄによって、ステップＳ１１１において付与された識別情報を印刷する旨の指示情報がプリンタ１６に対して出力され（ステップＳ１１７）、処理が終了される。
【００６８】
小型メモリカード９１１から注文情報を受け付ける場合には、上記の処理に加えて、注文情報受付部１１１ａによって、カードリーダ１７を介して小型メモリカード９１１に格納された画像データが読み込まれ、画像データ記憶部１８ａに識別情報と対応付けて格納される。
【００６９】
図５は、フィルムＩＤ記録装置２００のハード構成図の一例である。（ａ）は上面図であり、（ｂ）はＡ−Ａ断面図であり、（ｃ）はＢ−Ｂ断面図である。なお、便宜上、ｘｙｚ直交座標の座標軸を図示している。フィルムＩＤ記録装置２００は、各部材が固定される基台部２１と、回転軸がｘ軸と平行である向きに基台部２１上に配設されるｘ軸パルスモータ２２と、ｘ軸パルスモータ２２の回転に伴いボールねじを介してｘ軸方向に移動されるｘ軸テーブル２３と、回転軸がｙ軸と平行である向きにｘ軸テーブル２３上に配設されるｙ軸パルスモータ２４と、ｙ軸パルスモータ２４の回転に伴いボールねじを介してｙ軸方向に移動されるｙ軸テーブル２５と、ｙ軸テーブル２５上に配設されフィルム面上の乳剤を機械的に取り除く針２６と、フィルム９１を所定の位置に（初期位置にある針２６が、フィルム９１の最先端又は最尾端のコマの外側の位置に予め設定された識別情報記録領域内の所定位置に位置するべく）固定するフィルムガイド２７とを備えている。
【００７０】
なお、フィルムＩＤ記録装置２００は、図略のパーソナルコンピュータ等からなる制御部を備え、この制御部は、受付装置１００から識別情報（ここでは、４桁の識別番号）を受け付けて、識別番号の形状に針２６を動かすべくｘ軸パルスモータ２２及びｙ軸パルスモータ２４に駆動指令信号を出力する機能を有するものである。また、フィルムガイド２７へのフィルム９１のセットは、作業者によって行われるものとする。
【００７１】
ただし、針２６のフィルム９１との接触、非接触の切り替えは、針２６の昇降機構（図示省略）をｙ軸テーブル２５上に設けるか、又は、基台部２１自体を昇降させる機構（図示省略）で対応できる。あるいは、フィルムガイド２７を昇降させる機構を有する形態でもよい。
【００７２】
つぎに、フィルムＩＤ記録装置２００の動作の概要を説明する。ただし、フィルム９１は、予めフィルムガイド２７にセットされているものとする。まず、制御部によって、受付装置１００から識別番号が受け付けられる。そして、制御部から、受け付けられた識別番号の形状に針２６を動かすべくｘ軸パルスモータ２２及びｙ軸パルスモータ２４に対して駆動指令信号が出力される。この駆動指令信号に応じてｘ軸パルスモータ２２及びｙ軸パルスモータ２４が回転すると共に回転軸が回転し、ボールねじを介してｘ軸テーブル２３及びｙ軸テーブル２５が所定の位置に移動される。そして、その移動に伴って針２６が識別番号の形状に動かされ、針２６の先端によって機械的にフィルム９１表面の乳剤が取り除かれる。
【００７３】
このようにして、フィルムＩＤ記録装置２００によって、識別情報に応じて機械的にフィルム９１表面の乳剤が取り除かれ、乳剤が除去された部分と乳剤が残っている部分とでは、現像後には光の透過率が大きく異なるため、識別情報が視認可能となる。また、プリンタ等で識別情報がフィルム９１に印刷されている場合と比較して、フィルム９１表面が摩擦された場合にも、識別情報が消去され難いため、識別情報がフィルム９１の取り扱い時に消去されるトラブルの発生が抑制される。
【００７４】
図６は、写真出力装置６００のハード構成図の一例である。写真出力装置６００は、ハウジング６０に設けられた写真出力装置６００全体の動作を制御する制御ユニット６８を備えており、制御ユニット６８はパーソナルコンピュータ等からなる制御部６０Ｃと通信可能に接続されている。また、制御部６０Ｃは、受付装置１００及びフィルムスキャナ４００と通信可能に接続されている。
【００７５】
制御部６０Ｃは、受付装置１００から注文情報及び識別情報を受信して、フィルムスキャナ４００から識別情報及び画像データを受信する（または、受付装置１００から注文情報、画像データ、及び、識別情報を受信する）ものである。そして、制御部６０Ｃは、識別情報をキーとして注文情報と画像データとを対応付けて、画像データを対応する注文情報に従ってプリントすると共に、画像データをプリントして得られた感光材片６１Ａの裏面に識別情報を印刷するべく制御ユニット６８にプリント指示情報を出力するものである。また、制御部６０Ｃは、注文情報のインデックス要否情報がインデックスプリントを印刷する旨の情報である場合には、サムネイル画像を生成して、識別情報と合成して、インデックスプリントを出力させるものである。
【００７６】
写真出力装置６００のハウジング６０の内部６０Ｂには、レーザ光を用いて感光材６１の露光処理を行うレーザ露光装置６４が、感光材６１を搬送するコンベア６５上の露光位置６５Ｘに対向するように設けられている。コンベア６５は、複数組の従動ローラ６５Ａ及び駆動ローラ６５Ｂとガイドレール６５Ｃなどで構成されている。ハウジング６０の上面６０Ａには、ロール状に巻回された感光材６１をそれぞれ収納する複数、例えば２つのマガジン６２Ａ及び６２Ｂが装着されている。マガジン６２Ａ及び６２Ｂに収納されている感光材６１の種類を検出するために、２組のセンサ６２Ａ１及び６２Ｂ１が、それぞれマガジン６２Ａ及び６２Ｂに設けられている。
【００７７】
ハウジング６０、マガジン６２Ａ及び６２Ｂはそれぞれ暗箱であり、感光材６１の先端６１Ａ及び６１Ｂはそれぞれマガジン６２Ａ及び６２Ｂからハウジング６０の内部６０Ｂに引き出されている。感光材６１は、ハウジング６０の内部６０Ｂに設けられたカッタ６３により所定の大きさに切断される。以下、所定の大きさに切断された感光材６１を感光材片６１Ａという。感光材片６１Ａは、ハウジング６０の内部６０Ｂにおいて、コンベア６５により露光位置６５Ｘから感光材片６１Ａの現像処理を行う現像ユニット６６に搬送される。
【００７８】
現像ユニット６６は、それぞれ現像液、定着液、漂白液及び安定化液を収容する複数のタンク６６Ａ〜６６Ｄを有している。レーザ露光装置６４により露光された感光材片６１Ａが現像ユニット６６中を搬送されると、潜像が現像され、感光材片６１Ａの感光面上に画像が形成される。そして、現像された感光材片６１Ａは、乾燥ユニット６３により乾燥される。例えば、所要ライン分のヘッドを有するインクジェット方式の印字ユニット６９は、乾燥ユニット６３の下流側で、搬送される感光材片６１Ａの裏面となる側に配設され、搬送されてくる感光材片６１Ａの裏面に識別情報（ここでは、４桁の識別番号）の印刷を行うものである。印刷後の感光材片６１Ａは、ハウジング６０の内部６０Ｂから排出される。現像された感光材片６１Ａは、ハウジング６０の上面６０Ａに設けられたソータ６７上に積み重ねられる。
【００７９】
また、印字ユニット６９の近傍（例えば、上流側）には、感光材片６１Ａの通過を検出するセンサ６９１（図示省略）を有し、このセンサ出力を受けて、印字ユニット６９が作動するようになっている。なお、印字ユニット６９の配設位置は、乾燥ユニット６３の下流側に限らず、例えば、現像処理の影響を受けない場合には、現像ユニット６６の上流側の適所であってもよい。
【００８０】
ここで、写真出力装置６００の動作の概要について説明する。まず、制御部６０Ｃによって、受付装置１００から注文情報及び識別情報が受信され、フィルムスキャナ４００から識別情報及び画像データが受信される（または、受付装置１００から注文情報、画像データ、及び識別情報が受信される）。そして、制御部６０Ｃによって、識別情報をキーとして注文情報と画像データとが対応付けられて、画像データを対応する注文情報に従ってプリントすると共に、画像データをプリントして得られた感光材片６１Ａの裏面に識別情報を印刷するべく制御ユニット６８にプリント指示情報が出力される。制御ユニット６８によって、このプリント指示情報に従って写真出力装置６００全体の動作が制御されて、画像データがプリントされ、プリントされて得られた感光材片６１Ａの裏面に印字ユニット６９を介して識別情報が印刷される。
【００８１】
図７は、ＣＤ処理装置７００の斜視図の一例である。ＣＤ処理装置７００は、図の手前右側に処理前（新品）のＣＤ−ＲＷをストックする入側ビン７１と、入側ビン７１の左側奥部にＣＤ−ＲＷにデータを書き込むＣＤ−ＲＷライタ７２と、ＣＤ−ＲＷライタ７２の上側にＣＤ−ＲＷのレーベル面に識別情報をインクジェット方式によって印刷する印字ユニット７３と、印字ユニット７３の左側にＣＤ−ＲＷを移送する移送ユニット７４と、移送ユニット７４の手前に処理済のＣＤ−ＲＷをストックする出側ビン７５と、ＣＤ処理装置７００の全体の動作を制御するマイクロコンピュータ、メモリ等からなる制御部７６と、制御部に対して指示情報を出力するパーソナルコンピュータ等からなる指示部７７とを備えている。
【００８２】
ＣＤ処理装置７００の指示部７７は、受付装置１００及びフィルムスキャナ４００と通信可能に接続されており、受付装置１００から識別情報及び注文情報を受信し、フィルムスキャナ４００から識別情報及び画像データを受信して（または、受付装置１００から注文情報、画像データ、及び識別情報を受信して）、フィルムスキャナ４００（または、受付装置１００から）受信した画像データに付与された識別情報に対応する注文情報の中のＣＤ要否情報が「ＣＤ要」となっている場合に、画像データをＣＤ−ＲＷに書き込むと共に、ＣＤ−ＲＷのレーベル面に識別情報を印字する旨の指示情報を制御部７６に対して出力するものである。また、指示部７７は、注文情報の中のレーベル印刷要否情報が「レーベル面印刷要」となっている場合に、ＣＤ−ＲＷのレーベル面にサムネイル画像を印刷する旨の指示情報を制御部７６に対して出力するものである。
【００８３】
制御部７６は、指示部７７からの指示情報に従って、各部を制御して、画像データをＣＤ−ＲＷに書き込むと共に、ＣＤ−ＲＷのレーベル面に識別情報（及びサムネイル画像）を印刷するものである。
【００８４】
図８は、レーベル面印刷が行われたＣＤ９４の正面図の一例である。図８に示すように、ＣＤ９４の下側には、識別情報９４ａが印字されており、略中央部には、サムネイル画像９４ｂが印刷されている。サムネイル画像９４ｂは、ＣＤ９４に格納される画像データに対応しているため、サムネイル画像９４ｂによって、ＣＤ９４に格納されている画像データの内容（被写体等）を確認することが可能となる。
【００８５】
図９は、ＣＤ処理装置７００の動作の概要を表すフローチャートの一例である。ただし、フィルムスキャナ４００から受信した識別情報に対応する注文情報の中のＣＤ要否情報が「ＣＤ要」となっている場合について説明する。まず、指示部７７によって、フィルムスキャナ４００から識別情報及び画像データが受信される（ステップＳ２０１）。そして、ＣＤ−ＲＷライタ７２のトレイがＣＤ−ＲＷを載置可能な位置に移動され、移送ユニット７４によって、新品のＣＤ−ＲＷが入側ビン７１からＣＤ−ＲＷライタ７２のテーブル上に移送される（ステップＳ２０３）。つぎに、ＣＤ−ＲＷライタ７２のトレイがＣＤ−ＲＷの書込み可能な位置に移動され、ＣＤ−ＲＷライタ７２によってＣＤ−ＲＷに画像データが書き込まれる（ステップＳ２０５）。
【００８６】
次いで、ＣＤ−ＲＷライタ７２のトレイがＣＤ−ＲＷの取り出し可能な位置に移動され、移送ユニット７４によって、ＣＤ−ＲＷがＣＤ−ＲＷライタ７２から取り出され（ステップＳ２０７）、図略の印刷用トレイ上に移送される（ステップＳ２０９）。そして、印字ユニット７３によって、ＣＤ−ＲＷのレーベル面に識別情報が印刷される（ステップＳ２１１）。次いで、指示部７７によって、注文情報のレーベル印刷要否情報がレーベル面印刷要であるか否かの判定が行われる（ステップＳ２１３）。レーベル面印刷要ではないと判定された場合（ステップＳ２１３でＮＯ）には、処理がステップＳ２１７に進められる。レーベル面印刷要であると判定された場合（ステップＳ２１３でＹＥＳ）には、印字ユニット７３によって、ＣＤ−ＲＷのレーベル面にサムネイル画像が印刷される（ステップＳ２１５）。ステップＳ２１３でＮＯの場合、及び、ステップＳ２１５の処理が終了した場合には、移送ユニット７４によって、ＣＤ−ＲＷが印刷用トレイ上から出側ビン７５に移送され（ステップＳ２１７）、処理が終了される。
【００８７】
このようにして、識別情報がディスク状の記録媒体であるＣＤ−ＲＷのレーベル面に印刷されるため、作業者等がＣＤ−ＲＷに印刷された識別情報を容易に確認することが可能となる。
【００８８】
図１０は、注文情報表示装置８００のハード構成図の一例である。注文情報表示装置８００は、例えば、パーソナルコンピュータ等からなり、注文情報表示装置８００の全体の動作を制御する制御部８１と、外部からの操作を受け付ける図略のキーボード、マウス等からなる操作部８２と、外部に音声を出力するスピーカ８３と、外部に画像を出力するモニタ８４と、受付装置１００と通信を行う通信制御部８５と、種々の情報を記録用紙に印刷するプリンタ８６とがデータ伝送路であるバスＢＡ８を介して接続されている。
【００８９】
制御部８１は、注文情報表示装置８００の全体の動作を制御するもので、情報処理部（ＣＰＵ）１１１と、処理途中の情報等を一時的に格納するＲＡＭ８１２と、ＯＳ（ｏｐｅｒａｔｉｎｇ  ｓｙｓｔｅｍ）、所定の画像情報等が予め記憶されたＲＯＭ８１３とを備えている。
【００９０】
ＲＡＭ８１２またはＲＯＭ８１３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００９１】
インターフェイス部８２１は、操作部８２との間のデータの授受を行うためのものである。音声再生部８３１は、制御部８１からの指示に従って所定の音声（例えば、アラーム、操作ガイダンス用の音声等）等をスピーカ８３に出力するものである。描画処理部８４１は、制御部８１からの画像表示指示に従って所要の画像をモニタ８４に表示させるもので、ビデオＲＡＭ等を備えている。
【００９２】
図１１は、注文情報表示装置８００の機能構成図の一例である。ＣＰＵ８１１は、受付装置１００から識別情報及び注文情報を受信するデータ受信部８１１ａと、注文情報を用いて課金金額を算出する課金金額算出部８１１ｂと、モニタ８４に注文情報を表示する注文情報表示部８１１ｃ（注文品情報報知手段に相当する）とを備えている。また、ＲＡＭ８１２は、識別情報及び注文情報を格納する注文情報記憶部８１２ａ（注文情報記憶手段に相当する）と、課金金額算出部８１１ｂによって課金金額を算出するために使用される単価を格納する単価記憶部８１２ｂとを備えている。
【００９３】
データ受信部８１１ａは、通信制御部８５を介して受付装置１００から識別情報及び注文情報を受信すると共に、受け付けた注文情報を識別情報と対応付けて注文情報記憶部８１２ａに格納するものである。
【００９４】
課金金額算出部８１１ｂは、注文情報記憶部８１２ａから注文情報を読み出して、注文情報の内のプリント情報と、単価記憶部８１２ｂに格納されている単価情報とを用いて注文毎の課金金額を求めて、求めた課金金額を識別情報と対応付けて注文情報記憶部８１２ａに格納するるものである。
【００９５】
例えば、課金金額算出部８１１ｂは、次の（１）式を用いて課金金額が求めるものである。
（課金金額）＝（現像料金）＋（プリント単価）×（プリント枚数）      （１）
ただし、現像料金は、フィルムの撮影可能枚数に応じて予め設定されており、プリント単価はプリントサイズに応じて予め設定されており、それぞれの単価が単価記憶部８１２ｂに格納されている。
【００９６】
注文情報表示部８１１ｃは、受付装置１００によって発行された預り証９５を参照して操作部８２を介して外部から入力された識別情報を受け付けて、受け付けた識別情報に対応する注文情報及び課金金額情報を注文情報記憶部８１２ａから読み出してモニタ８４に表示するものである。
【００９７】
また、注文情報表示部８１１ｃは、注文情報記憶部８１２ａから注文情報及び識別情報を読み出して、識別情報毎に注文品を検品する際に使用するために、注文情報の内、注文品を規定する注文品情報を識別情報と対応付けて検品画面９００（図１３参照）としてモニタ８４に表示するものである。
【００９８】
注文情報記憶部８１２ａは、データ受信部８１１ａによって受信された注文情報及び識別情報を格納すると共に、課金金額算出部８１１ｂによって算出された課金金額を識別情報と対応付けて格納するものである。
【００９９】
単価記憶部８１２ｂは、課金金額算出部８１１ｂによって課金金額を算出するために使用する単価情報を格納するものであって、例えば、課金金額算出部８１１ｂが（１）式を用いて課金金額を求める場合には、フィルムの撮影可能枚数に応じて設定された現像料金と、プリントサイズに応じて設定されたプリント単価とを格納するものである。
【０１００】
なお、注文情報表示装置８００をデータ受信部８１１ａ、課金金額算出部８１１ｂ及び注文情報表示部８１１ｃとして機能させるプログラムが、例えばＲＯＭ８１３に格納されており、ＣＰＵ８１１によって実行されることにより、注文情報表示装置８００がデータ受信部８１１ａ等の各機能部として機能するものである。
【０１０１】
図１２は、注文情報表示装置８００の動作の概要を表すフローチャートの一例である。
まず、注文情報表示部８１１ｃによって、操作部８２からの入力が受け付けられて、注文品の検品作業を行うか否かの判定が行われる（ステップＳ３０１）。検品作業を行わないと判定された場合（ステップＳ３０１でＮＯ）には、処理がステップＳ３０９に進められる。検品作業を行うと判定された場合（ステップＳ３０１でＹＥＳ）には、注文情報表示部８１１ｃによって、注文情報記憶部８１２ａから識別情報及び注文情報が読み込まれる（ステップＳ３０３）。そして、注文情報表示部８１１ｃによって、ステップＳ３０３で読み込まれた注文情報の内、注文品を規定する注文品情報が識別情報と対応付けられて検品画面９００（図１３参照）としてモニタ８４に表示される（ステップＳ３０５）。
【０１０２】
つぎに、注文情報表示部８１１ｃによって、操作部８２からの入力が受け付けられて、検品を終了するか否か（検品画面９００のモニタ８４への表示を終了するか否か）の判定が行われる（ステップＳ３０７）。検品を終了しないと判定された場合（ステップＳ３０７でＮＯ）には、処理がステップＳ３０３に戻り、ステップＳ３０３以降の処理が繰り返し実行される。検品を終了すると判定された場合（ステップＳ３０７でＹＥＳ）、及び、ステップＳ３０１でＮＯの場合には、注文情報表示部８１１ｃによって、操作部８２を介して外部から入力された識別情報が受け付けられる（ステップＳ３０９）。次いで、注文情報表示部８１１ｃによって、受付情報記憶部８１２ａからステップＳ３０９で受け付けられた識別情報に対応する注文情報が読み込まれる（ステップＳ３１１）。
【０１０３】
そして、課金金額算出部８１１ｂによって、ステップＳ３１１で読み込まれた注文情報を用いて、課金金額が算出される（ステップＳ３１３）。つぎに、注文情報表示部８１１ｃによって、ステップＳ３０９で受け付けられた識別情報と、ステップＳ３１１で読み込まれた注文情報と、ステップＳ３１３で算出された課金金額情報とがモニタ８４に表示され（ステップＳ３１５）、処理が終了される。
【０１０４】
図１３は、図１２に示すフローチャートのステップＳ３０５でモニタ８４に表示される検品画面の画面図の一例である。検品画面９００には、画面略中央部に、識別番号と注文品情報とが一覧表の形式で対応付けて表示される一覧表示部９０１と、画面下部に、検品画面９００の表示を終了する場合に押下される終了ボタン９０２と、検品画面を更新する場合に押下される更新ボタン９０３と、検品画面９００への入力を取り消す場合に押下されるキャンセルボタン９０４とが表示されている。ここで、ボタンの「押下」とは、マウスによる当該ボタンのクリックを意味している。
【０１０５】
一覧表示部９０１には、左側から順に、識別番号が上側から降順に表示される識別番号表示欄９０１ａと、プリントサイズ情報が表示されるプリントサイズ欄９０１ｂと、注文品にフィルム（ネガフィルム）が含まれるか否かを表すネガ要否欄９０１ｃと、注文品にインデックスプリントが含まれるか否かを表すインデックス要否欄９０１ｄと、注文品にＣＤ９４が含まれているか否かを表すＣＤ要否欄９０１ｅと、検品が完了したか否かを表す検品入力欄９０１ｆとが表示されている。
【０１０６】
プリントサイズ欄９０１ｂは、プリントサイズを表す記号が表示される記号表示欄９０１ｂ１と、縦横のサイズを数値で表すサイズ数値表示欄９０１ｂ２とから構成されている。また、ネガ要否欄９０１ｃ〜ＣＤ要否欄９０１ｅは、対応する注文品が注文されている場合（注文情報に含まれている場合）に、○印が表示される。例えば、上から２行目の識別番号は「１１３６」であり、プリントサイズは記号が「Ｅ版」で１２０ｍｍ×８２．５ｍｍであり、注文品には、インデックスプリントとＣＤとが含まれていることが分かる。
【０１０７】
また、ある識別番号の検品が終了した際に、その識別番号に対応する行が作業者等によってマウスクリックされた場合には、検品入力欄９０１ｆに○印が表示される。更新ボタン９０３が押下されると、検品入力欄９０１ｆに○印が表示されている識別番号の行の表示が消去され（ここでは、上から１行目と２行目）、一覧表示部９０１に消去された行数分（ここでは、２個）の識別番号の注文品情報が新たに表示される。また、キャンセルボタン９０４が押下されると、検品入力欄９０１ｆに表示された○印が消去され、再入力可能（未入力状態）とされる。
【０１０８】
作業者は、検品画面９００を確認することによって、識別番号毎の注文品の種類及び内容を確認することができる。すなわち、表示された識別番号毎に、それぞれ対応する注文品情報を確認しながら、作成された注文品を検品することが可能となるため、検品作業を正確且つ効率的に行うことが可能となる。
【０１０９】
また、プリント指示情報に応じて、１のフィルム又は記録媒体に対応する写真がプリントされて出力され、且つ、プリントサイズ情報が識別番号と対応付けてプリントサイズ欄９０１ｂに表示されるため、プリントされた写真の検品作業を、プリントサイズ情報を用いて、更に、正確且つ効率的に行うことが可能となる。
【０１１０】
更に、識別番号がインデックスプリント９３１に対して視認可能に記録されて、且つ、インデックス要否情報が識別番号と対応付けてインデックス要否欄９０１ｄに表示されるため、インデックスプリント９３１の検品作業を、正確且つ効率的に行うことが可能となる。
【０１１１】
加えて、識別番号がフィルムに対して視認可能に記録されて、且つ、フィルム要否情報が識別情報と対応付けてネガ要否欄９０１ｃに表示されるため、フィルムの検品作業を、正確且つ効率的に行うことが可能となる。
【０１１２】
また、識別番号が画像データが格納されるＣＤ９４の表面に視認可能に記録されて、且つ、ＣＤ要否情報が識別番号と対応付けてＣＤ要否欄９０１ｅに表示されるため、ＣＤ９４の検品作業を、正確且つ効率的に行うことが可能となる。
【０１１３】
なお、本発明は以下の形態をとることができる。
【０１１４】
（Ａ）本実施形態においては、受付装置１００、フィルムＩＤ記録装置２００、フィルム現像機３００、フィルムスキャナ４００、フィルム処理装置５００、写真出力装置６００、ＣＤ処理装置７００及び注文情報表示装置８００が別々の装置として構成されている場合について説明したが、これらの内の２つ以上の装置を一体に構成する形態でもよい。例えば、受付装置１００と注文情報表示装置８００とを１の装置で構成する形態でもよい。この場合には、注文情報等を伝送する必要がなくなり、写真処理システム１０の構成が簡略化される。
【０１１５】
（Ｂ）本実施形態においては、写真処理システム１０が識別情報と注文品情報とを対応付けてモニタ８４に表示する注文情報表示装置８００を備える場合について説明したがその他の方法で報知する形態でもよい。例えば、注文情報表示装置８００に代えて、識別情報と注文品情報とを対応付けて音声によって報知する注文情報報知装置を備える形態でもよい。また、モニタ８４に表示する代わりにプリンタ８６に印字する形態でもよい。
【０１１６】
（Ｃ）本実施形態においては、注文情報表示装置８００が注文品情報として、プリントサイズ、ネガ要否、インデックスプリント要否、及び、ＣＤ要否を表示する場合について説明したが、その他の注文品情報を表示する形態でもよい。例えば、プリント枚数等を表示する形態でもよい。
【０１１７】
（Ｄ）本実施形態においては、ディジタルカメラで撮影された画像データが小型メモリカード９３１に格納されている場合について説明したが、その他の記録媒体に格納されている形態でもよい。例えば、光ディスク、フレキシブルディスク、ＣＤ、ＤＶＤ、半導体メモリ等である。
【０１１８】
（Ｅ）本実施形態においては、画像データをＣＤ−ＲＷに記録する場合について説明したが、その他の記録媒体に記録する形態でもよい。例えば、ＣＤ−Ｒ、ＤＶＤ−Ｒ、ＤＶＤ−ＲＷ、ＤＶＤ＋ＲＷ、ＤＶＤ−ＲＡＭ等に記録する形態でもよい。
【図面の簡単な説明】
【０１１９】
【図１】本発明が適用される写真処理システムの概略構成図の一例である。
【図２】受付装置のハード構成図の一例である。
【図３】受付装置の機能構成図の一例である。
【図４】受付装置の動作を表すフローチャートの一例である。
【図５】フィルムＩＤ記録装置のハード構成図の一例である。
【図６】写真出力装置のハード構成図の一例である。
【図７】ＣＤ処理装置の斜視図の一例である。
【図８】レーベル面印刷が行われたＣＤの正面図の一例である。
【図９】ＣＤ処理装置の動作の概要を表すフローチャートの一例である。
【図１０】注文情報表示装置のハード構成図の一例である。
【図１１】注文情報表示装置の機能構成図の一例である。
【図１２】注文情報表示装置の動作の概要を表すフローチャートの一例である。
【図１３】図１２に示すフローチャートのステップＳ３０５でモニタに表示される検品画面の画面図の一例である。
【符号の説明】
【０１２０】
１０  写真処理システム
１００  受付装置
２００  フィルムＩＤ記録装置
３００  フィルム現像機
４００  フィルムスキャナ
５００  フィルム処理装置（注文品出力手段に相当）
６００  写真出力装置（注文品出力手段に相当）
７００  ＣＤ処理装置（注文品出力手段、及び、記録媒体処理手段に相当）
８００  注文情報表示装置（注文品情報報知手段に相当）
９１  フィルム
９１１  小型メモリカード
９２  ネガシート
９３  写真
９３１  インデックスプリント
９４  ＣＤ
９５  預り証
【図１】
2005331736.tif 000003
【図２】
2005331736.tif 000004
【図３】
2005331736.tif 000005
【図４】
2005331736.tif 000006
【図５】
2005331736.tif 000007
【図６】
2005331736.tif 000008
【図７】
2005331736.tif 000009
【図８】
2005331736.tif 000010
【図９】
2005331736.tif 000011
【図１０】
2005331736.tif 000012
【図１１】
2005331736.tif 000013
【図１２】
2005331736.tif 000014
【図１３】
2005331736.tif 000015